(57)【要約】      （修正有）【課題】鑑賞魚等の立体的空中遊泳が楽しめる立体組合せ水槽を提供する。【解決手段】透明資材で上端が開口して構成される主体水槽２と、端部が開口部に形成される一方側垂直方向水路部３ａ、端部が開口部に形成される他方側垂直方向水路部３ｂ及びそれらに両端部が接続する差渡水路部３ｃがコ字形に透明資材で構成される補助水槽３とからなると共に、前記補助水槽３は前記主体水槽２の対向する一方側壁面と他方側壁面の上端等にそれぞれ掛合する掛具を具え、この掛具を支点に補助水槽３を転回して水を収容した主体水槽２に横倒してその補助水槽３内に主体水槽２の水を収容し、その補助水槽３の両端部の開口部を水に漬けた状態で、前記掛具を支点に転回して立て起して引き上げ、かつ掛具により補助水槽３を主体水槽２に起立状態にセットしてなる。【選択図】図１
0003181585.tif 000002
【実用新案登録請求の範囲】
【請求項１】
透明資材で上端が開口して構成される主体水槽と、端部が開口部に形成される一方側垂直方向水路部、端部が開口部に形成される他方側垂直方向水路部及びそれらに両端部が接続する差渡水路部がコ字形に透明資材で構成される補助水槽とからなると共に、前記補助水槽は前記主体水槽の対向する一方側壁面と他方側壁面の上端等にそれぞれ掛合する掛具を具え、この掛具を支点に補助水槽を転回して水を収容した主体水槽に横倒してその補助水槽内に主体水槽の水を収容し、その補助水槽の両端部の開口部を水に漬けた状態で、前記掛具を支点に転回して立て起して引き上げ、かつ掛具により補助水槽を主体水槽に起立状態にセットして組み合わせてなる立体組合せ水槽。
【請求項２】
前記補助水槽は、前記主体水槽の一方側壁面に対面する一方側垂直方向水路部の対向側壁外面と前記主体水槽の他方側壁面に対面する他方側垂直方向水路部の対向側壁外面に、それぞれ上端部に掛部を具えた掛具が相互に離隔して配備されてなる請求項１の立体組合せ水槽。
【請求項３】
前記掛具は、基端部が補助水槽を転回自在に軸支されて配備されてなる請求項１または請求項２の立体組合せ水槽。
【請求項４】
前記掛具は、基端部より上端部側をそれぞれ対向する前記主体水槽の一方側壁面と他方側壁面に向けて付勢され、湾曲するように設けてなる請求項１または請求項２の立体組合せ水槽。
【考案の詳細な説明】
【技術分野】
【０００１】
本考案は、鑑賞魚等を入れる立体組合せ水槽に関するものである。
【背景技術】
【０００２】
特許文献１には、透明な合成樹脂等の材質により遊泳管体４を構成すると共に該遊泳管体４の下方に水及び魚類等の出入口部を設ける一方上方に吸水のための弁及び吸引ポンプ１２を接続してなる魚類等の遊泳装置が提案されている。
【０００３】
特許文献２には、以下の装置が提案されている。気密容器からなる水槽本体１の側壁２の下部に開口５が形成されている。開口５の内側に槽内部と開口５を連通する連通路６が下向きに設けられている。連通路６の下端が開口５の下端より下まで伸びている。水槽本体１にその上部空間を減圧させる吸引装置４が設けられている。水槽本体１内の水を連通路６から抜き出し濾過後に水槽本体１へ戻す循環管８が設けられている。循環管８には貯水槽９、循環ポンプ１０、物理濾過槽１１、生物濾過槽１２、予備水槽１３、減菌器１４、温度調節器１５および泡沫分離器１６がこの順に設けられている。
【０００４】
特許文献３には、水槽３０ａ，３０ｂの水を連通させて魚等を通過させる連通流路を構成するアタッチメント１０であって、水槽３０ａ，３０ｂ内に起立して配置され、水槽内で水没する位置に開口部１６が設けられた少なくとも２つの支持筒１２ａ，１２ｂと、該支持筒の上部側に支持筒を連通して設けられた連通筒１４と、前記支持筒１２ａ，１２ｂおよび連通筒１４に連通して設けられ、支持筒および連通筒から排気して、支持筒および連通筒の内部を水槽の水によって連通させる排気手段２０とを備えていることを特徴とする、水槽装置およびこれに用いるアタッチメントが提案されている。
【０００５】
特許文献４には、略逆Ｕ字形に屈曲した透明な本体パイプ１１と、水面３１ａに没する開口部１３ａ、開口部１３ｂに設けられ、当該本体パイプ１１を起立状態に水面３１ａ上に浮上させるフロート１４ａ、フロート１４ｂと、本体パイプ１１の内部を排気するための吸排気口１２および開閉弁１２ａとを備え、水槽３０の水面３１ａ上に配置された状態にて、吸排気口１２から本体パイプ１１内を排気してサイホンの原理で本体パイプ１１の内部に水槽３０内の水３１を引き込むことで、水面３１ａ上に起立して自由に浮上する水路３１ｂを形成し、水槽３０の水生生物３２が開口部１３ａ、開口部１３ｂを通じて本体パイプ１１の水路３１ｂ内を自由に回遊する様子を鑑賞可能にした水族鑑賞装置１０が提案されている。
【０００６】
特許文献５には、大気開放型の水槽１００に、これの水中に下部の連通部２０１を浸漬可能にして昇降移動可能に、又は昇降移動可能と水平移動可能に、密閉水槽２０２を設け、前記密閉水槽２０２の上壁又は上部側壁に空気抜き口８０１を設け、前記空気抜き口８０１からの空気出入りを制限する開閉栓、開閉弁８０４、開閉蓋等の開閉体を設置したことを特徴とするファッション水槽が提案されている。
【０００７】
【特許文献１】実開昭５０−１０７９９号公報
【特許文献２】特開２００１−３２７２２７号公報
【特許文献３】特開２００３−３３１２４号公報
【特許文献４】特開２００５−１３７２８０号公報
【特許文献５】特開２００９−１８９３６１号公報
【考案の開示】
【考案が解決しようとする課題】
【０００８】
前記特許文献１で提案されるものは、遊泳管体４の上方に吸水のための弁及び吸引ポンプ１２を接続してなるものであるから、メンテナンス上において一般家庭用としては不向きなものである。
【０００９】
前記特許文献２で提案されるものは、水槽本体１にその上部空間を減圧させる吸引装置４が設けられているもので、その上、水槽本体１内の水を連通路６から抜き出し濾過後に水槽本体１へ戻す循環管８が設けられ、その循環管８には貯水槽９、循環ポンプ１０、物理濾過槽１１、生物濾過槽１２、予備水槽１３、減菌器１４、温度調節器１５および泡沫分離器１６が設けられているものであるから、前記特許文献１と同様に、メンテナンス上において一般家庭用としては不向きなものである。
【００１０】
前記特許文献３で提案されるアタッチメント１０は、水槽３０ａ，３０ｂ内に起立して配置され、水槽内で水没する位置に開口部１６が設けられた少なくとも２つの支持筒１２ａ，１２ｂと、該支持筒の上部側に支持筒を連通して設けられた連通筒１４と、前記支持筒１２ａ，１２ｂおよび連通筒１４に連通して設けられ、支持筒および連通筒から排気して、支持筒および連通筒の内部を水槽の水によって連通させる排気手段２０とを備えているものであるから、二つの水槽３０ａ，３０ｂの水を連通させて魚等を通過させる連通流路を構成するものであり、装置として大掛かりであり、前記特許文献１と同様に、メンテナンス上において一般家庭用としては不向きなものである。
【００１１】
前記特許文献４で提案されるものは、  略逆Ｕ字形に屈曲した透明な本体パイプ１１と、水面３１ａに没する開口部１３ａ、開口部１３ｂに設けられ、当該本体パイプ１１を起立状態に水面３１ａ上に浮上させるフロート１４ａ、フロート１４ｂとを備えるものであるから、前記特許文献３と同様に装置として大掛かりであり、また、本体パイプ１１の内部を排気するための吸排気口１２および開閉弁１２ａとを備えるものであるから、前記特許文献１と同様にメンテナンス上において一般家庭用としては不向きなものである。
【００１２】
前記特許文献５で提案されるものは、大気開放型の水槽１００に、これの水中に下部の連通部２０１を浸漬可能にして昇降移動可能に、又は昇降移動可能と水平移動可能に、密閉水槽２０２を設けてなる水槽からなるので、前記特許文献３及び特許文献４と同様に装置として大掛かりであり、また、前記密閉水槽２０２の上壁又は上部側壁に空気抜き口８０１を設け、前記空気抜き口８０１からの空気出入りを制限する開閉栓、開閉弁８０４、開閉蓋等の開閉体を設置してなる本体パイプ１１の内部を排気するための吸排気口１２および開閉弁１２ａを備える水槽からなるのであるから、前記特許文献１と同様にメンテナンス上において一般家庭用としては不向きなものである。
【００１３】
本考案の立体組合せ水槽は、一般的家庭又は教育の現場において、前述のようなメンテナンス上の設備を全く必要とせずに簡易、安価に、鑑賞魚等を入れて立体的に遊泳を鑑賞できることを目的になされたものである。
【課題を解決するための手段】
【００１４】
透明資材で上端が開口して構成される主体水槽と、端部が開口部に形成される一方側垂直方向水路部、端部が開口部に形成される他方側垂直方向水路部及びそれらに両端部が接続する差渡水路部がコ字形に透明資材で構成される補助水槽とからなると共に、前記補助水槽は前記主体水槽の対向する一方側壁面と他方側壁面の上端等にそれぞれ掛合する掛具を具え、この掛具を支点に補助水槽を転回して水を収容した主体水槽に横倒してその補助水槽内に主体水槽の水を収容し、その補助水槽の両端部の開口部を水に漬けた状態で、前記掛具を支点に転回して立て起して引き上げ、かつ掛具により補助水槽を主体水槽に起立状態にセットして組み合わせてなる立体組合せ水槽にある。
【００１５】
前記補助水槽は、前記主体水槽の一方側壁面に対面する一方側垂直方向水路部の対向側壁外面と前記主体水槽の他方側壁面に対面する他方側垂直方向水路部の対向側壁外面に、それぞれ上端部に掛部を具えた掛具が相互に離隔して配備されてなるものとしてもよいものである。
【００１６】
前記上端部に掛部を具えた掛具は基端部が補助水槽を転回自在に軸支して配備されてなるものとしてもよいものである。
【００１７】
前記掛具は、基端部より上端部側をそれぞれ対向する前記主体水槽の一方側壁面と他方側壁面に向けて付勢され、湾曲するように設けてなるものとしてもよいものである。
【考案の効果】
【００１８】
本考案の立体組合せ水槽は、前述のように、構成されるものであるから、水槽の立体化が簡便で家庭でも空中遊泳が楽しめる。また、小学校等の教育の現場で理科的知識（大気圧で水が落ちない）を体験させることができる。
【００１９】
吸引ポンプ等を使用しないで水を満たした補助水槽を主体水槽に置くだけのシンプル・簡便な構造である。
【００２０】
補助水槽に水を満たす仕組みについても補助水槽を主体水槽の中で横に倒し、それから立ち起こすだけの簡単な操作で水の入れ替えを行うことができる。
【００２１】
補助水槽の掛置き構造について、補助水槽の両側面に掛具を配備し、補助水槽の両端の開口を常に水中に没した状態で立ち起し、そのままの状態で上昇させ、且つ補助水槽の両端の開口を水中に没した状態で、前記両掛具の掛部を主体水槽の上縁開口に掛けて補助水槽を定置に掛置きすることができるから、補助水槽の水が流れ落ちることがなく、誰でも容易に立体組合せ水槽を構成することができる。
【図面の簡単な説明】
【００２２】
【図１】本考案の立体組合せ水槽の使用状態を説明する縦断側面図である。
【図２】図１のＡ−Ａ線に沿う補助水槽の横倒し状態と起立状態を示す一部断面側面図である。
【図３】同じく補助水槽の横倒し状態と起立状態を示す平面図である。
【図４】補助水槽単体の側面図である。
【考案を実施するための最良の形態】
【００２３】
透明資材で上端が開口して構成される主体水槽と、端部が開口部に形成される一方側垂直方向水路部、端部が開口部に形成される他方側垂直方向水路部及びそれらに両端部が接続する差渡水路部がコ字形に透明資材で構成される補助水槽とからなると共に、前記補助水槽は前記主体水槽の対向する一方側壁面と他方側壁面の上端にそれぞれ掛合し、横倒し起立の支点となる支点掛具と単なる支承具なる支承掛具を具え、補助水槽を、前記支点掛具を支点に水を収容した主体水槽に横倒してその補助水槽内に主体水槽の水を収容し、その補助水槽を、前記支点掛具を支点に両端部の開口部を水に漬けた状態で立て起して引き上げ、かつ補助水槽の掛具を主体水槽の対向する一方側壁面と他方側壁面の上端に掛合して起立状態に組み合わせてなる立体組合せ水槽。
【実施例】
【００２４】
本考案の立体組合せ水槽を図面に示す実施例により説明すると、本考案の立体組合せ水槽１は、主体水槽２と補助水槽３から構成される。
【００２５】
前記主体水槽２は、透明樹脂材で上端が開口して成形されたもの、ガラス板製のもの等、一般に市販される金魚等方形水槽が用いられる。勿論、上端が開口する独自の形状に成形される水槽であってもよいものである。
【００２６】
前記主体水槽２は、少なくとも、平行に対面する一方側壁面２ａと他方側壁面２ｂが形成され、それら一方側壁面２ａの上端２ａ１と他方側壁面２ｂの上端２ｂ１は底面２ｃから同一の高さに形成される。
【００２７】
前記補助水槽３は、一方側垂直方向水路部３ａ、他方側垂直方向水路部３ｂ及びそれらに両端部が接続する差渡水路部３ｃがコ字形角筒に透明樹脂材で成形されてなる。
【００２８】
前記補助水槽３の一方側垂直方向水路部３ａの端部３ａ１と他方側垂直方向水路部３ｂの端部３ｂ１は、それぞれ開口部に形成される。
【００２９】
前記補助水槽３は、前記主体水槽２の一方側壁面２ａに対面する一方側垂直方向水路部３ａの一方対向側壁外面３ａ２に、上端部に掛部４ａ１１を具えた支承用兼横倒・起立支点用掛具４ａ１と上端部に掛部４ａ２１を具えた支承用掛具４ａ２が前後に離隔して配備される。同じく、前記補助水槽３は、前記主体水槽２の他方側壁面２ｂに対面する他方側垂直方向水路部３ｂの他方対向側壁外面３ｂ２に、上端部に掛部４ｂ１１を具えた支承用兼横倒・起立支点用掛具４ｂ１と上端部に掛部４ｂ２１を具えた支承用掛具４ｂ２が前後に離隔して配備される。
【００３０】
前記支承用兼横倒・起立支点用掛具４ａ１の基端部４ａ１２は、前記主体水槽２の一方側壁面２ａに対面する補助水槽３の一方側垂直方向水路部３ａの一方対向側外壁面３ａ２に設けた軸支部５ａに支軸６ａをもって回転自在に軸支してなるものである。同じく、前記支承用兼横倒・起立支点用掛具４ｂ１の基端部４ｂ１２は、前記主体水槽２の他方側壁面２ｂに対面する補助水槽３の他方側垂直方向水路部３ｂの他方対向側外壁面３ｂ２に設けた軸支部５ｂに支軸６ｂをもって回転自在に軸支してなるものである。
【００３１】
前記補助水槽３の一方側垂直方向水路部３ａの一方対向側外壁面３ａ２に設けた軸支部５ａの支軸６ａと補助水槽３の他方側垂直方向水路部３ｂの他方対向側外壁面３ｂ２に設けた軸支部５ｂの支軸６ｂとは同一軸線上に配備されるものである。
【００３２】
前記支承用掛具４ａ２、４ｂ２は、それぞれ基端部４ａ２２、４ｂ２２に上端部側をそれぞれ対向する前記主体水槽２の一方側壁面２ａと他方側壁面２ｂに向けて付勢され、湾曲するように設けてもよいものである。
【００３３】
前記支承用掛具４ａ２、４ｂ２は、前記支承用兼横倒・起立支点用掛具４ａ１、４ｂ１と同様の構造に構成して補助水槽３に全体を回転自在に配備してもよいものである。
【００３４】
前記主体水槽２は、その容積を前記補助水槽３が横倒し収容可能に形成されると共にその補助水槽３の端部３ａ１、３ｂ１の開口部を補助水槽３に収容される水に漬けた状態で立て起して引き上げ、かつ補助水槽３の掛具４ａ１、４ａ２、４ｂ１、４ｂ２を主体水槽２の少なくとも一方側壁面２ａの上端２ａ１と他方側壁面２ｂの上端２ｂ１にセットして起立状態に組み合わせ可能に構成されるものである。
【００３５】
本考案の立体組合せ水槽１の主体水槽２と補助水槽３は、上記のように構成されるから、図１、図３および図４に示すように、補助水槽３の支承用兼横倒・起立支点用掛具４ａ１、４ｂ１の掛部４ａ１１、４ｂ１１を水槽主体２の上端２ａ１、２ｂ１に掛合し、また、補助水槽３の支承用掛具４ａ２、４ｂ２の掛部４ａ２１、４ｂ２１を水槽主体２の上端２ａ１、２ｂ１に掛合し、補助水槽３を主体水槽２に起立状態にセットする。
次に、補助水槽３の支承用掛具４ａ２、４ｂ２の掛部４ａ２１、４ｂ２１を水槽主体２の上端２ａ１、２ｂ１から外して、補助水槽３を支承用兼横倒・起立支点用掛具４ａ１、４ｂ１の支軸５ａ、５ｂを支点に水を収容した主体水槽２に横倒し、その補助水槽３内の空気を外に浮上させて排出したあとに主体水槽２の水を吸引して充満する。充満したところで支軸６ａ、６ｂを支点に支え、その補助水槽３の端部３ａ１、３ｂ１の開口部を水に漬けた状態で転回し、補助水槽を起立し、最後に、支承用掛具４ａ２、４ｂ２の掛部４ａ２１、４ｂ２１を水槽主体２の上端２ａ１、２ｂ１に掛合して補助水槽３を主体水槽２に起立状態に組み合わせるものである。
【００３６】
補助水槽３を主体水槽２に横倒しすることによって補助水槽３内に容易に給水することができ、また、支承用兼横倒・起立支点用掛具４ａ１、４ｂ１の支軸６ａ、６ｂを支点に転回することによって、支承用兼横倒・起立支点用掛具４ａ１、４ｂ１に補助水槽３内の水の重量を支承させ、引き上げ起立労力を軽減し、水を収容して重量のある補助水槽３を主体水槽２に容易にセットできるものである。
【００３７】
前述のように、支承用掛具４ａ２、４ｂ２を、それぞれ基端部４ａ２２、４ｂ２２から上端部側をそれぞれ対向する前記主体水槽２の一方側壁面２ａと他方側壁面２ｂに向けて付勢して湾曲するように構成したものを補助水槽３に配備したときには、前記補助水槽を起立し、掛部４ａ２１、４ｂ２１が水槽主体２の上端２ａ１、２ｂ１に転回して達すると、外側に湾曲して自動的に水槽主体２の上端２ａ１、２ｂ１に掛合して補助水槽３を主体水槽２に極めて容易に起立状態に組み合わせることができるものである。
【００３８】
立体組合せ水槽１内に水と共に収容された鑑賞魚等は、主体水槽２から補助水槽３へと垂直に上昇と下降して主体水槽２に戻る回遊遊泳を繰り返すものであるから、立体的空中遊泳が楽しめるものである。
【産業上の利用可能性】
【００３９】
本考案は、水槽の立体化が簡便で家庭でも空中遊泳が楽しめる。また、小学校等の教育の現場で、大気圧で水が落ちないという理科的知識の普及に寄与するものである。
【００４０】
水を満たした補助水槽を主体水槽に置くだけで、吸引ポンプ等を使用しないシンプル・簡便な構造で、趣味のグッズの拡大に寄与するものである。
【符号の説明】
【００４１】
１  立体組合せ水槽
２  主体水槽
２ａ  一方側壁面
２ａ１  上端
２ｂ  他方側壁面
２ｂ１  上端
２ｃ  底面
３  補助水槽
３ａ  一方側垂直方向水路部
３ａ１  端部
３ａ２  一方対向側壁外面
３ｂ  他方側垂直方向水路部
３ｂ１  端部
３ｂ２  他方対向側壁外面
３ｃ  差渡水路部
４ａ１  支承用兼横倒・起立支点用掛具
４ａ１１  掛部
４ａ１２  基端部
４ａ２  支承用掛具
４ａ２１  掛部
４ａ２２  基端部
４ｂ１  支承用兼横倒・起立支点用掛具
４ｂ１１  掛部
４ｂ１２  基端部
４ｂ２  支承用掛具
４ｂ２１  掛部
４ｂ２２  基端部
５ａ  軸支部
５ｂ  軸支部
６ａ  支軸
６ｂ  支軸
【図１】
0003181585.tif 000003
【図２】
0003181585.tif 000004
【図３】
0003181585.tif 000005
【図４】
0003181585.tif 000006
【手続補正書】
【提出日】平成24年12月6日(2012.12.6)
【手続補正１】
【補正対象書類名】図面
【補正対象項目名】図１
【補正方法】変更
【補正の内容】
【図１】
0003181585.tif 000007
【手続補正２】
【補正対象書類名】図面
【補正対象項目名】図２
【補正方法】変更
【補正の内容】
【図２】
0003181585.tif 000008
【手続補正３】
【補正対象書類名】図面
【補正対象項目名】図３
【補正方法】変更
【補正の内容】
【図３】
0003181585.tif 000009
【手続補正４】
【補正対象書類名】図面
【補正対象項目名】図４
【補正方法】変更
【補正の内容】
【図４】
0003181585.tif 000010